【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、正の屈折力の第２レンズ群、負の屈折力の第３レンズ群、正の屈折力の第４レンズ群より構成され、隣り合うレンズ群の間隔を変化させてズーミングを行うズームレンズにおいて、前記第１レンズ群は、物体側から像側へ順に、負レンズと、物体側の面が凸形状の正レンズからなり、前記第１レンズ群の焦点距離をｆ１、前記第３レンズ群の焦点距離をｆ３、前記第１レンズ群の正レンズの材料のアッベ数をνｄ１ｐ、前記第３レンズ群の物体側から数えて第ｉ番目の単レンズの空気中での焦点距離をｆ３ｉ、前記第３レンズ群の物体側から数えて第ｉ番目の単レンズの材料のアッベ数をνｄ３ｉ、広角端における全系の焦点距離をｆｗとしたとき、
０．３０  ＜  ｆ１／ｆ３  ＜  ０．６８
１０．０  ＜  νｄ１ｐ  ＜  ２３．０
２．１  ＜  ｆ３＊Σ（１００／（ｆ３ｉ＊νｄ３ｉ））  ＜  ５．０
３．７  ＜  ｜ｆ３／ｆｗ｜  ＜  ６．５
なる条件式を満足することを特徴とするズームレンズ。
【請求項２】
広角端における前記第２レンズ群と前記第３レンズ群の間隔をＤ２３ｗ、望遠端における前記第２レンズ群と前記第３レンズ群の間隔をＤ２３ｔとするとき、
０．２  ＜  Ｄ２３ｗ／Ｄ２３ｔ  ＜  ０．９
なる条件式を満足することを特徴とする請求項１に記載のズームレンズ。
【請求項３】
１．９  ＜  ｜ｆ１／ｆｗ｜  ＜  ３．０
なる条件式を満足することを特徴とする請求項１または２に記載のズームレンズ。
【請求項４】
前記第２レンズ群の焦点距離をｆ２とするとき、
１．５  ＜  ｜ｆ２／ｆｗ｜  ＜  ３．０
なる条件式を満足することを特徴とする請求項１乃至３のいずれか１項に記載のズームレンズ。
【請求項５】
前記第３レンズ群は１つのレンズ成分により構成されることを特徴とする請求項１乃至４のいずれか１項に記載のズームレンズ。
【請求項６】
前記第４レンズ群は１つのレンズ成分により構成されることを特徴とする請求項１乃至５のいずれか１項に記載のズームレンズ。
【請求項７】
広角端から望遠端へのズーミングに際し、前記第１レンズ群は像側に凸状の軌跡の一部を描いて移動し、前記第２、第３レンズ群は互いに異なる軌跡で物体側へ移動し、前記第４レンズ群は像側若しくは物体側へ移動または物体側へ凸状の軌跡を描いて移動することを特徴とする請求項１乃至６のいずれか１項に記載のズームレンズ。
【請求項８】
光電変換素子に像を形成することを特徴とする請求項１乃至７のいずれか１項に記載のズームレンズ。
【請求項９】
請求項１乃至８のいずれか１項に記載のズームレンズと、該ズームレンズによって形成される像を受光する光電変換素子とを備えることを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に、負の屈折力の第１レンズ群、正の屈折力の第２レンズ群、負の屈折力の第３レンズ群、正の屈折力の第４レンズ群より構成され、隣り合うレンズ群の間隔を変化させてズーミングを行うズームレンズにおいて、前記第１レンズ群は、物体側から像側へ順に、負レンズと、物体側の面が凸形状の正レンズからなり、前記第１レンズ群の焦点距離をｆ１、前記第３レンズ群の焦点距離をｆ３、前記第１レンズ群の正レンズの材料のアッベ数をνｄ１ｐ、前記第３レンズ群の物体側から数えて第ｉ番目の単レンズの空気中での焦点距離をｆ３ｉ、前記第３レンズ群の物体側から数えて第ｉ番目の単レンズの材料のアッベ数をνｄ３ｉ、広角端における全系の焦点距離をｆｗとしたとき、
０．３０  ＜  ｆ１／ｆ３  ＜  ０．６８
１０．０  ＜  νｄ１ｐ  ＜  ２３．０
２．１  ＜  ｆ３＊Σ（１００／（ｆ３ｉ＊νｄ３ｉ））  ＜  ５．０
３．７  ＜  ｜ｆ３／ｆｗ｜  ＜  ６．５
なる条件式を満足することを特徴としている。
【手続補正３】
【補正対象書類名】明細書
【補正対象項目名】００１４
【補正方法】変更
【補正の内容】
【００１４】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、負の屈折力の第３レンズ群、正の屈折力の第４レンズ群より構成されている。そして隣り合うレンズ群の間隔を変化させてズーミングを行う。広角端から望遠端へのズーミングに際し、第１レンズ群は像側に凸状の軌跡の一部を描いて移動する。第２、第３レンズ群は互いに独立に物体側へ移動し、第４レンズ群は像面側へ若しくは物体側へ移動または物体側へ凸状の軌跡を描いて移動する。
【手続補正４】
【補正対象書類名】明細書
【補正対象項目名】００１９
【補正方法】変更
【補正の内容】
【００１９】
各実施例はいずれも、物体側から像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４で構成している。そしてズーミングに際し、隣り合うレンズ群の間隔が変化している。具体的には広角端から望遠端へのズーミングに際して、第１レンズ群Ｌ１が像側に凸状の軌跡で移動し、変倍に伴う像面変動を補正している。第２レンズ群Ｌ２は物体側に移動し、第３レンズ群Ｌ３は物体側に移動している。第４レンズ群Ｌ４は像面側若しくは物体側へ単調移動又は物体側に凸状の軌跡で移動またはズーミングに際して不動である。
【手続補正５】
【補正対象書類名】明細書
【補正対象項目名】００２０
【補正方法】変更
【補正の内容】
【００２０】
第１レンズ群Ｌ１は物体側から像側へ順に、負レンズと物体側の面が凸形状の正レンズからなっている。第１レンズ群Ｌ１の焦点距離をｆ１、第３レンズ群Ｌ３の焦点距離をｆ３とする。第１レンズ群Ｌ１の正レンズの材料のアッベ数をνｄ１ｐとする。第３レンズ群Ｌ３の物体側から数えて第ｉ番目の単レンズの空気中での焦点距離をｆ３ｉとする。第３レンズ群Ｌ３の物体側から数えて第ｉ番目の単レンズの材料のアッベ数をνｄ３ｉとする。第３レンズ群Ｌ３に含まれる全ての単レンズの焦点距離ｆ３ｉとアッベ数νｄ３ｉに対する和をΣで表わす。このとき、
０．３０ ＜ ｆ１／ｆ３ ＜ ０．６８ ・・・（１）
１０．０ ＜ νｄ１ｐ ＜ ２３．０ ・・・（２）
２．１ ＜ ｆ３＊Σ（１００／（ｆ３ｉ＊νｄ３ｉ）） ＜ ５．０ ・・・（３）
なる条件式を満足している。
【手続補正６】
【補正対象書類名】明細書
【補正対象項目名】００２６
【補正方法】変更
【補正の内容】
【００２６】
条件式（１）は、第１レンズ群Ｌ１の焦点距離と、第３レンズ群Ｌ３の焦点距離の比を規定している。条件式（１）を満足するレンズ構成とすることで、光学系の広画角化を図るとともに像面彎曲、色収差を良好に補正している。条件式（１）の上限を超えると、第１レンズ群Ｌ１の屈折力が小さくなりすぎズームレンズの広画角化が困難となる、若しくは第３レンズ群Ｌ３の屈折力が大きくなりすぎ、ズームレンズ全系の色収差補正が補正過剰となる。一方、下限を超えると、第１レンズ群Ｌ１の屈折力が大きくなりすぎ、像面湾曲の補正が困難となる、若しくは第３レンズ群の屈折力が小さくなりすぎ、ズームレンズ全系の色収差が補正不足となるのでよくない。
【手続補正７】
【補正対象書類名】明細書
【補正対象項目名】００４１
【補正方法】変更
【補正の内容】
【００４１】
また実施例１乃至５では、第４レンズ群Ｌ４をズーミングに際して可動としている。第４レンズ群Ｌ４をズーミングに際して可動とすることで、像面湾曲のズーミングに伴う変動を良好に補正している。ここで、広角端から望遠端へのズーミングに際し、第４レンズ群Ｌ４が物体側に凸状の軌跡で移動する構成をとれば、第４レンズ群Ｌ４に増倍機能を分担し、ズームレンズの高ズーム比化が容易となる。以上のように各実施例によれば、沈胴時に薄型で、像面彎曲、色収差などの諸収差が良好に補正された、ズーム全域で良好な光学特性を有するネガティブリード型の４群ズームレンズが得られる。